(57)【特許請求の範囲】
【請求項１】
食品が収納される容器本体と、この容器本体の開口部を密封状態で覆うことができる蓋と、この蓋を前記容器本体の開口部を密封状態で覆った状態で固定する一端部が蓋に接着固定され、他端部が容器本体に接着固定された少なくとも２個以上の接着テープとからなる食品容器において、前記蓋の外周部に容器本体の底面外周部が入り込み、かつ対向する部位に2個、４個あるいは３個の平坦面が形成された突起状の荷くずれ防止リングを形成するとともに、前記接着テープの少なくとも一端部に該接着テープの長さ方向の切り欠き部を形成し、かつ、前記蓋との接着固定は前記荷くずれ防止リングの平坦面で行うことを特徴とする食品容器。
【請求項２】
接着テープは長さ方向の中央部に開封方向の目印が記載された帯状のプリント部が形成されていることを特徴とする請求項1記載の食品容器。
【発明の詳細な説明】
【技術分野】
【０００１】
本発明はスーパー、コンビニエンスストアー等で販売するお弁当、惣菜類等の食品を収納する食品容器に関する。
【背景技術】
【０００２】
従来、この種の食品容器は食品が収納される容器本体と、この容器本体の開口部を密封状態で覆うことができる蓋と、この蓋を前記容器本体の開口部を密封状態で覆った状態で固定する一端部が蓋に接着固定され、他端部が容器本体に接着固定された少なくとも２個以上の接着テープとで構成されていた。
【０００３】
このため、容器本体に蓋が外れることなく接着テープで固定することができるが、不正に接着テープを外され、元の状態に戻された場合には判別することができないという欠点があった。
【特許文献１】特になし
【発明の開示】
【発明が解決しようとする課題】
【０００４】
本発明は以上のような従来の欠点に鑑み、不正に接着テープが外されると、明らかに接着テープが外された状態を目視により確認することができるとともに、特殊な接着テープを用いることなく、いままで用いていた接着テープの切断状態により、安価な接着テープを用いることができる、製造が容易で、安全性を確保することができる食品容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は食品が収納される容器本体と、この容器本体の開口部を密封状態で覆うことができる蓋と、この蓋を前記容器本体の開口部を密封状態で覆った状態で固定する一端部が蓋に接着固定され、他端部が容器本体に接着固定された少なくとも２個以上の接着テープとからなる食品容器において、前記蓋の外周部に容器本体の底面外周部が入り込み、かつ対向する部位に2個、４個あるいは３個の平坦面が形成された突起状の荷くずれ防止リングを形成するとともに、前記接着テープの少なくとも一端部に該接着テープの長さ方向の切り欠き部を形成し、かつ、前記蓋との接着固定は前記荷くずれ防止リングの平坦面で行って食品容器を構成している。
【発明の効果】
【０００７】
以上の説明から明らかなように、本発明にあっては次に列挙する効果が得られる。
【０００８】
（１）食品が収納される容器本体と、この容器本体の開口部を密封状態で覆うことができる蓋と、この蓋を前記容器本体の開口部を密封状態で覆った状態で固定する一端部が蓋に接着固定され、他端部が容器本体に接着固定された少なくとも２個以上の接着テープとからなる食品容器において、前記蓋の外周部に容器本体の底面外周部が入り込み、かつ対向する部位に2個、４個あるいは３個の平坦面が形成された突起状の荷くずれ防止リングを形成するとともに、前記接着テープの少なくとも一端部に該接着テープの長さ方向の切り欠き部を形成し、かつ、前記蓋との接着固定は前記荷くずれ防止リングの平坦面で行うので、不正に接着テープを外すと、接着テープの少なくとも一端部に形成した長さ方向の切り欠き部によって、該切り欠き部の端部より接着テープを切断させることができる。
したがって、接着テープの一端部の一部が残った状態になり、一目で不正に接着テープが外されたかを確認することができる。
よって、不正防止を図ることができる。
【０００９】
（２）前記（１）によって、接着テープの少なくとも一端部に長さ方向の切り欠き部を形成するだけでよいので、構造が簡単で、コストを上げることなく実施することができる。
【００１０】
（３）請求項２も前記（１）、（２）と同様な効果が得られるとともに、プリント部によって一端部の一部が残った接着テープを、さらに容易に確認することができるとともに、目印によって接着テープを容易に取り外すことができる。
【発明を実施するための最良の形態】
【００１１】
以下、図面に示す本発明を実施するための最良の形態により、本発明を詳細に説明する。
【００１２】
図１ないし図９に示す本発明を実施するための最良の第１の形態において、１は本発明のお弁当、惣菜類等の食品を収納する食品容器で、この食品容器1は弁当食品２が収納される開口端部の一方の対向する部位の中央部が外方へ突出する弧状のフランジ部３、３を有する断面アングル状の蓋嵌合片4が形成された四角形状の容器本体５と、この容器本体５の蓋嵌合片4と嵌合固定される外周部に嵌合部６が形成された透明材製の上面が平坦な蓋7と、この蓋7の外周部に形成された、前記容器本体５の底面外周部が入り込む前記弧状のフランジ部３、３部の中央部に位置する部位に平坦面８、８が形成された突起状の荷くずれ防止リング9と、前記蓋7と前記容器本体５とを該蓋７の前記平坦面８、８で固定する接着テープ１０、１０とで構成されている。
【００１３】
前記接着テープ１０、１０は図７に示すように、中央部が帯状に着色するように開封方向の目印１１ａが記載された帯状のプリント部１１と、両端部に長さ方向の切り欠き部１２、１２が形成されたものが使用されている。
【００１４】
上記構成の食品容器１は容器本体５の蓋嵌合片４に蓋７の嵌合部６を密封状態で覆うように嵌合させた後、蓋７の平坦面８、８に接着テープ１０、１０の一端部を貼着し、他端部を該部の容器本体５の外周部に貼着させるので、積み重ねた場合、図８に示すように蓋７の荷くずれ防止リング９内に容器本体５の下部が確実に収納されて、荷くずれするのを防止することができる。
【００１５】
また、不正に接着テープ１０、１０を外していたずらをしようとした場合、図９に示すように接着テープ１０、１０が容器本体５と蓋７とに、接着していない隙間部５ａに指を挿入して接着テープ１０、１０を引張って外そうとすると、接着テープ１０、１０の両端部の切り欠き部１２、１２によって接着テープ１０、１０の一部の端部１０ａ、１０ａが残るように切断され、不正に接着テープ１０、１０が外されたことを目視で確認することができる。
[発明を実施するための異なる形態]
【００１６】
次に、図１０ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図１０ないし図１２に示す本発明を実施するための第２の形態において、前記本発明を実施するための最良の第１の形態と主に異なる点は、容器本体５Ａの底面外周部に突条のリング１３を形成するとともに、蓋７の平坦面８、８形成部位と対応する部位の突条リング１３部位に平坦面１４、１４を形成し、両端中央部に１本の切り欠き部１２、１２を形成した接着テープ１０Ａ、１０Ａを用いた点で、このように形成された容器本体５Ａ、接着テープ１０Ａ、１０Ａを用いて構成した食品容器１Ａにしても、前記本発明を実施するための最良の第１の形態と同様な作用効果が得られるとともに、接着テープ１０Ａ、１０Ａの両端部が蓋７と容器本体５Ａの平坦面８、１４と接着されて、確実に接着固定させることができる。
【００１８】
図１３ないし図１５に示す本発明を実施するための第３の形態において、前記本発明を実施するための第２の形態と主に異なる点は、各片の中央部に平坦面８、８、８、８および平坦面１４、１４、１４、１４を形成した蓋７Ａおよび容器本体５Ｂを用いるとともに、両端部に切り欠き部１２、１２だけを形成した接着テープ１０Ｂ、１０Ｂを用いた点で、このように形成された蓋７Ａ、容器本体５Ｂ、接着テープ１０Ｂ、１０Ｂを用いて構成した食品容器１Ｂ にしても、前記本発明を実施するための第２の形態と同様な作用効果が得られる。
【００１９】
図１６ないし図１８に示す本発明を実施するための第４の形態において、前記本発明を実施するための最良の第１の形態と主に異なる点は、上部内壁面に蓋嵌合凹部１５が形成されたフランジ１６の四隅部が外方へ突出するほぼ円形状の容器本体５Ｃと、この容器本体５Ｃの蓋嵌合凹部１５と嵌合する嵌合片１７、４個の平坦面８、８、８、８を有する荷くずれ防止リング９Ａが形成された蓋７Ｂ  と、両端部に両端部より内側部位が内側に傾斜する長さ方向の切り欠き部１２Ａ、１２Ａが形成された接着テープ１０Ｃ、１０Ｃとを用いた点で、このように形成された蓋７Ｂ、容器本体５Ｃおよび接着テープ１０Ｃ、１０Ｃを用いて構成された食品容器１Ｃにしても、前記本発明を実施するための最良の第１の形態と同様な作用効果が得られる。
【００２０】
図１９ないし図２１に示す本発明を実施するための第５の形態において、前記本発明を実施するための第４の形態と主に異なる点は、フランジ１６Ａも円形状に形成された容器本体５Ｄと、３個の平坦面８、８、８が形成された荷くずれ防止リング９Ｂが形成された蓋７Ｃと、両端部が深くカットされた山形形状の切り欠き部１２Ｂ、１２Ｂが形成された接着テープ１０Ｄ、１０Ｄ、１０Ｄを用いた点で、このように形成された容器本体５Ｄ、蓋７Ｃおよび接着テープ１０Ｄ、１０Ｄ、１０Ｄを用いて構成した食品容器１Ｄにしても、前記本発明を実施するための第４の形態と同様な作用効果が得られる。
【００２１】
なお、前記本発明を実施するための各形態では容器本体５、５Ａ、５Ｂ、５Ｃ、５Ｄ内に弁当食品２を収納するものについて説明したが、本発明はこれに限らず、食することができる食品を収納する場合にも同様に使用することができる。
また、接着テープ１０、１０Ａ、１０Ｂ、１０Ｃ、１０Ｄは切断時に自動的に切り欠き部１２、１２Ａ、１２Ｂが形成されたり、あるいは一方の端部にだけ切り欠き部１２、１２Ａ、１２Ｂが形成されるものであってもよい。
さらに、前記本発明を実施するための形態では接着テープの端部に複数個の長さ方向の切り欠き部を形成する場合、同じ長さの長さ方向の切り欠き部を形成するものについて説明したが、発明はこれに限らず、異なる長さの長さ方向の切り欠き部を形成してもよい。
【産業上の利用可能性】
【００２２】
本発明はスーパー、コンビニエンスストアー等で販売されるお弁当等の食品を収納する食品容器を製造する産業で利用される。
【図面の簡単な説明】
【００２３】
【図１】本発明を実施するための最良の第１の形態の平面図。
【図２】本発明を実施するための最良の第１の形態の正面図。
【図３】本発明を実施するための最良の第１の形態の底面図。
【図４】図１の４−４線に沿う断面図。
【図５】本発明を実施するための最良の第１の形態の容器本体の斜視図。
【図６】本発明を実施するための最良の第１の形態の蓋の斜視図。
【図７】本発明を実施するための最良の第１の形態の接着テープの説明図。
【図８】本発明を実施するための最良の第１の形態の積み重ねた状態の断面図。
【図９】本発明を実施するための最良の第１の形態の接着テープを外した状態の説明図。
【図１０】本発明を実施するための第２の形態の平面図。
【図１１】本発明を実施するための第２の形態の底面図。
【図１２】図１０の１２−１２線に沿う断面図。
【図１３】本発明を実施するための第３の形態の平面図。
【図１４】本発明を実施するための第３の形態の底面図。
【図１５】図１３の１５−１５線に沿う断面図。
【図１６】本発明を実施するための第４の形態の平面図。
【図１７】本発明を実施するための第４の形態の底面図。
【図１８】図１６の１８−１８線に沿う断面図。
【図１９】本発明を実施するための第５の形態の平面図。
【図２０】本発明を実施するための第５の形態の底面図。
【図２１】図１９の２１−２１線に沿う断面図。
【符号の説明】
【００２４】
１、１Ａ、１Ｂ、１Ｃ、１Ｄ：食品容器、
２：弁当食品、      ３：フランジ部、
４：蓋嵌合片、
５、５Ａ、５Ｂ、５Ｃ、５Ｄ：容器本体、  
６：嵌合部、        ７、７Ａ、７Ｂ、７Ｃ：蓋、
８：平坦面、
９、９Ａ、９Ｂ：荷くずれ防止リング、
１０、１０Ａ、１０Ｂ、１０Ｃ、１０Ｄ：接着テープ、
１１：プリント、      
１２、１２Ａ、１２Ｂ：切り欠き部、
１３：突条リング、      １４：平坦面、
１５：蓋嵌合凹部、      １６、１６Ａ：フランジ、
１７：嵌合片。
【図１】
0005227550.tif 000002
【図２】
0005227550.tif 000003
【図３】
0005227550.tif 000004
【図４】
0005227550.tif 000005
【図５】
0005227550.tif 000006
【図６】
0005227550.tif 000007
【図７】
0005227550.tif 000008
【図８】
0005227550.tif 000009
【図９】
0005227550.tif 000010
【図１０】
0005227550.tif 000011
【図１１】
0005227550.tif 000012
【図１２】
0005227550.tif 000013
【図１３】
0005227550.tif 000014
【図１４】
0005227550.tif 000015
【図１５】
0005227550.tif 000016
【図１６】
0005227550.tif 000017
【図１７】
0005227550.tif 000018
【図１８】
0005227550.tif 000019
【図１９】
0005227550.tif 000020
【図２０】
0005227550.tif 000021
【図２１】
0005227550.tif 000022